(57)【要約】ボックス部(１１)と、蓋(１２)を含むヒンジ蓋付きパックであって、側部壁(２２，２３)の領域が多角形状、すなわち、曲がった壁のレッグ(２８，２９)と幅の狭い横断方向側部壁(２２，２３)とを備える。ヒンジ蓋付きパックの断面形状は、したがって、パックの内容物としてのシガレットグループの輪郭と一致しており、シガレットグループは、側部壁(２２，２３)に隣接するそのエッジ部に、２本のシガレットの端部横断方向列と、これに隣り合う３本のシガレットの横断方向列とを有する。
2006521245.tif 000002
【特許請求の範囲】
【請求項１】
ボックスの前部壁(１４)と、ボックスの後部壁(１６)と、ボックスの側部壁(２２)と、ボックスの底部壁(１５)とを備えるボックス部(１１)、および、ボックス部(１１)に回動可能に取り付けられた蓋(１２)を備え、前記の蓋(１２)は、蓋の前部壁(１９)、蓋の後部壁(１７)、蓋の側部壁(２３)、蓋の端部壁(１８)を含むシガレット(１０)用のヒンジ蓋付きパックであって、
側部壁(２３)の少なくとも１つと向き合う領域は、台形状をなす断面を有し、前記の断面は、それぞれ、ボックスの前部壁(１４)、ボックスの後部壁(１６)、蓋の前部壁(１９)、および、蓋の後部壁(１７)に接続された収束する材料ストリップすなわち、レッグ(２２８，２９，３０，３１)を備え、前記材料ストリップは、１本のシガレット(１０)の直径よりも大きく、２本の隣接シガレットの直径の和よりも小さい幅を有する点を特徴とするヒンジ蓋付きパック。
【請求項２】
材料ストリップすなわちレッグ(２８，２９；３０，３１)は、ボックスの前部壁(１４)、ボックスの後部壁(１６)、蓋の後部壁(１７)および蓋の前部壁(１９)に対しそれぞれ、約３０度の角度(３９)をなして配向されるとともに、横断方向のボックスの側部壁(２２)と蓋の側部壁(２３)に対し約６０度の角度(４０)をなして配向される点を特徴とする請求項１に記載のヒンジ蓋付きパック。
【請求項３】
シガレットのグループ(３４)は、パックの内容物として、その端部領域‐台形状の断面領域‐に、２本の隣接シガレット(１０)を備える端部横断方向列(３５)と、これに隣接して配置された３本の隣接シガレット(１０)を備える横断方向列(３６)とを含み、横断方向列(３５)のシガレット(１０)は、好ましくは、横断方向列(３６)のシガレット(１０)に対して１つのサドル状の配置を取る点を特徴とする請求項１または２に記載のヒンジ蓋付きパック。
【請求項４】
シガレットのグループ(３４)のシガレット(１０)は、材料ストリップすなわちレッグ(２８，２９；３０，３１)と前側または後側との間、および、側部壁(２２，２３)、特に、横断方向列(３６)のの端部のシガレット(１０)と、横断方向列(３５)のシガレット(１０)との間の角度部(３７，３８)の領域にそれぞれ配列されている点を特徴とする請求項１〜３のいずれか１に記載のヒンジ蓋付きパック。
【請求項５】
２つの重なる側部タブ(２４，２５；２６，２７)を含む側部壁(２２，２３)の幅は、２本の隣接シガレットの寸法、特に、端部横断方向列(３５)の寸法よりも多少小さい点を特徴とする請求項１〜４のいずれか１に記載のヒンジ蓋付きパック。
【請求項６】
角度部(３７)および/または角度部(３８)は、それぞれ、円形状コーナー部として、すなわち、好ましくは、湾曲ストリップ(４５)によって、特定すれば角度部(３７，３８)と向き合って接するシガレット(１０)の形状と寸法に一致することによって、真円に形成される点を特徴とする請求項１〜５のいずれか１に記載のヒンジ蓋付きパック。
【請求項７】
側部壁(２２，２３)を限る角度部(３７)は、真円または円形状コーナー部として形成される点、および、レッグ(２８，２９；３０，３１)と前側および後側との間の角度部(３８)は、角度を有する点を特徴とする請求項１〜６のいずれか１に記載のヒンジ蓋付きパック。
【請求項８】
円形角度部(３８)の場合は、側部タブ(２４，２５；２６，２７)は、専ら、隣接する円形角度部(３８)の間の領域に延出して、互いに重なる点を特徴とする請求項１〜７のいずれか１に記載のヒンジ蓋付きパック。
【請求項９】
底部コーナータブ(４６)と蓋のコーナータブ(４７)は、それぞれ、内側のボックスの側部タブ(２５)と蓋の側部タブ(２７)の連続部として設けられており、コーナータブ(４６，４７)は、対応する露出するタブのエッジ部または横断方向の寸法において、それらに充当された側部タブ(２５，２７)の幅に対応する底部壁(１５)および端部壁(１８)の形状に順応している点を特徴とする請求項１〜８のいずれか１に記載のヒンジ蓋付きパック。
【請求項１０】
好ましくは、別体のブランクから製造されるカラー(１３)は、レッグ(２８，２９；３０，３１)の領域における輪郭すなわち断面形状と一致しており、端部の延長部，特に、後部のボックスのレッグ(２９)および蓋のレッグ(３１)と接するカラーのレッグ(５３)を有する点を特徴とする請求項１〜９のいずれか１に記載のヒンジ蓋付きパック。
【発明の詳細な説明】
【技術分野】
【０００１】
この発明は、ボックス前部壁、ボックス後部壁、ボックス側部壁およびボックス底部壁からなるボックス部と、ボックス部に回動可能に取り付けられ、蓋の前部壁、蓋の後部壁、蓋の側部壁および端部壁からなる蓋を含むシガレット用ヒンジ蓋付きパックに関する。
【背景技術】
【０００２】
シガレット用ヒンジ蓋付きパックは、世界で何十年にも亘って採用されている。ベベル状または円形のエッジ部を備える具体例も知られている。
【発明の開示】
【発明が解決しようとする課題】
【０００３】
この発明の目的は、シガレットがどのような形をとろうとも、シガレットのグループから構成されるパックの内容物の外側形態に、その形態を最大限に一致させることを達成するヒンジ蓋付きタイプのシガレットパックを設計することである。
【課題を解決するための手段】
【０００４】
この目的を達成するために、この発明のヒンジ蓋付きパックは、側部壁の少なくとも１つに面する領域が、(ほぼ)台形状の断面を有し、前記台形状の断面は、それぞれの側部壁をボックスの前部壁と蓋の前部壁、および、ボックスの後部壁と蓋の後部壁に接続する収束する材料ストリップを備えており、前記材料ストリップは、１本のシガレット直径よりも大きく、２本の隣接シガレットの直径の和よりも小さい幅を有する点を特徴とする。
【０００５】
１つの特徴は、ヒンジ蓋付きパックの断面形状を、シガレットグループの形状に適応させることである。パックのエッジ部のシガレットは、ヒンジ蓋付きボックスの収束する壁のレッグが、２つの横断方向端部列の２本のシガレットと向き合って接するように、すなわち、(鈍角の)各角度部には、２本のシガレットが位置するように配列される。更に、各収束壁のレッグは、対応して幅が減少した各側部壁が、横断方向端部列の２本のシガレットと接しているように、シガレットグループの２本のシガレットと接している。
【０００６】
側部壁と向き合うヒンジ蓋付きパックの横断方向領域は、好ましくは、２本のシガレットの外側の横断方向列およびこの列と隣接する３本のシガレットの横断方向列とともに配列された５本のシガレットの端部のサブグループを含むシガレットグループについては、シガレットグループが、適切に囲まれて、各収束壁は２つの端部横断方向列の２本のシガレットと向き合うように形成され、対応して幅が減少する各側部壁は、端部横断方向列の２本のシガレットと向き合って接するように形成される。
【０００７】
好ましくは、両側部壁の領域において多角形状の輪郭を持つヒンジ蓋付きパックは、壁部のレッグと、側部壁、前部壁、後部壁との間で曲折することによって形成されるエッジ部を備えることができる。しかしながら、好ましい具体例は、壁部のレッグと側部壁の間の円形状エッジ部を備える１つの具体例である。更には、壁部のレッグと、前部壁、後部壁の間のエッジ部は、円形状とされ、前記円形状の全領域は、寸法において、シガレットの輪郭すなわち寸法と一致している。
【０００８】
別の特徴は、ボックス部に設けられるカラーの配置と設計、および、原則的にこのタイプのパックの構成要素である。
【０００９】
最後に、この発明は、ヒンジ蓋付きパックの製造用ブランクの設計に関する。
この発明の別の特徴は、添付図面に基づいて以下に論じられる。
【発明を実施するための最良の形態】
【００１０】
図示のパックは、シガレット１０用のヒンジ蓋付きパックである。その基本的設計において、ヒンジ蓋付きパックは、(下側の)ボックス部１１と蓋１２を含む。ここでは、別体のブランクから作られるカラー１３は、ボックス部１１の前側に取り付けられる。カラー１３の一部は、ボックス部１１から突出し、蓋が閉じられるとき、蓋によって囲まれる。
【００１１】
ボックス部１１と蓋１２は一つながりのブランクから製造される。このブランクは、ボックスの前部壁１４、底部壁１５、ボックスの後部壁１６、蓋の後部壁１７、端部壁１８、および、蓋の前部壁１９用の長手方向の連続領域を形成するような構造とされる。ボックス部１１と蓋１２は、横断方向のヒンジ線２０によって、後部壁１６と蓋の後部壁１７の領域において互いに接続されており、前記横断方向ヒンジ線２０は、両後部壁１６、１７の領域にのみ延出している。蓋の前部壁の自由な側に接続される蓋の内側タブ２１は、蓋の前部壁１９の内側に向かって曲折され、完成状態のパックにおいては、これに接続される。
【００１２】
ボックスの前部壁１４、ボックスの後部壁１６、蓋の後部壁１７および蓋の前部壁１９には、ボックスの側部壁２２と蓋の側部壁２３を形成するための曲折タブが取り付けられる。これらの側部壁２２、２３は、重ね合わされて互いに接続される曲折タブ、すなわち、ボックスの側部タブ２４、２５、および、蓋の側部タブ２６、２７によって形成される。側部タブ２４、２６は、いずれも、二重の側部壁２２、２３の外側を形成する。側部タブ２５、２７は、内側にある。
【００１３】
ヒンジ蓋付きボックスの１つの特徴は、ボックスの側部壁２２と蓋の側部壁２３の隣接領域におけるその設計と構造にある。ボックスの前部壁１４、ボックスの後部壁１６、蓋の後部壁１７、および、蓋の前部壁１９は、比較的小幅に設計され、ボックスの前部壁１４、ボックスの後部壁１６、蓋の後部壁１７および蓋の前部壁１９は、中間部(intermediate  piece)によって、側部壁２２、２３または対応する側部タブ２４…２７にそれぞれ、接続される。これらの中間部は、ボックスのレッグ２８、２９と蓋の各レッグ３０、３１である。これらの壁のレッグ２８…３１は、側部タブ２４…２７、と関連壁部すなわちボックスの前部壁１４、ボックスの後部壁１６、蓋の後部壁１７、および蓋の前部壁１９の間の材料ストリップによって形成される。ブランク面のすべての壁領域は、長手方向の曲折線３２と横断方向の曲折線３３とによって互いに区画される。
【００１４】
パックの断面からわかるように、ブランクの説明した領域は、互いに直交して設けられている。材料ストリップすなわちボックスのレッグ２８、２９と蓋のレッグ３０、３１は、隣り合うボックスの前部壁１４またはボックスの後部壁１６、および、蓋の後部壁１７または蓋の前部壁１９と、それぞれ、鋭角３９、特にほぼ３０度の角度をなしている。側部壁すなわちボックスの側部壁２２、蓋の側部壁および蓋の側部壁２３は、材料ストリップすなわちレッグ２８…３１に対して、角度４０、好ましくはほぼ６０度をなしている。このことによって、側部領域がほぼ台形状のパックの断面が形成されることになる(図９、図１０)。
【００１５】
ヒンジ蓋付きボックスの寸法、特に、ほぼ台形の側部領域の寸法は、シガレット１０の寸法から生じるが、特に、ヒンジ蓋付きパックの内容物としてのシガレットグループ３４の選択的な形成から生じる。１０本のシガレット１０用の好ましい容積のために、２本の隣接シガレット１０からなる端部列３５と、３本のシガレット１０からなる端部列３６の横断方向列３５、３６が形成される。隣り合う列３５、３６のシガレット１０は、互いにオフセットされた「サドル配置」をなして配列される。ヒンジ蓋付きボックスの内容物は、このように、その両エッジ部において収束する断面を呈する。この断面形状は、殆ど完全に密接したフィットをなしてヒンジ蓋付きパックの断面に順応する。
【００１６】
１つの特徴は、材料ストリップ、つまり、レッグ２８…３１の寸法を含む。これらは、同じ幅を備えており、この幅は、１本のシガレット１０の直径よりもかなり大きく、隣り合う２本のシガレットの直径の和よりも小さい。選択される寸法によって、各横断方向列３５、３６のシガレット１０が、曲折線によって形成される角度、３７、３８の角度領域に配列されることが可能となる。このことによって、寸法的に安定したヒンジ蓋付きパックが形成されることになる。その理由は、各壁のエリアは、互いに直角をなして設定されている、すなわち、レッグ２８…３１と側部壁２２、２３は、２本の隣り合うシガレット１０によって支持されるからである。これに代えて、シガレットグループ３４を、２本のシガレット横断方向列３５を前記の角度領域のみに配列し、他の横断方向列は、３本のシガレット１０から形成するようにしてもよい。
【００１７】
側部を上記のように設計したヒンジ蓋付きパックは、材料の節約が可能である。したがって、側部壁２２、２３のみが、重層構造、すなわち、側部タブ２４…２７が、側部壁２２，２３の幅とほぼ対応する幅を備える。
別の特徴は、すべての直立パックエッジ部、すなわち、角度部３７、３８が、円形とされることである。図３、図４、図７、図８および図１０の模範具体例が、特に有利な模範具体例を開示しており、これらの中では、角度部３７だけが、好ましくは、隣接シガレットの半径と一致する円形エッジ部として設計されている。最も有利な場合は、ヒンジ蓋付きパックの壁に囲まれたとき、エッジ部すなわちコーナー部に配置されるシガレット１０だけが密接状態を取る。この場合は、側部タブ２４…２７が、それらの幅がもっと小さくなるように設計されるので、重なりは、角度部３７の円形の外側においてのみ生じる。角度部３８の領域においては、コーナーは鋭いままであるが、鈍角である。
【００１８】
円形のエッジ部すなわち角度部３７、３８のみを備えるヒンジ蓋付きボックスの設計は、図９の右図の断面に示されている。角度部３７、３８は円形、好ましくは、シガレット１０の寸法に一致する「円」である。
ヒンジ蓋付きパックの内容物すなわちシガレットグループ３４は、錫箔、紙、フィルム等から作られる内側ライナー４１によって囲まれている。
【００１９】
そのさまざまな具体例におけるヒンジ蓋付きパックを製造するためのブランクは、特別な態様で形成される。図５にしたがって、ボックスの前部壁１４、ボックスの後部壁１６等によって規定される中間領域は、従来のヒンジ蓋付きパックの中間領域よりも小さい幅に形成される。ブランク全体の幅も、スタンダード型のヒンジ蓋付きパックの幅よりも小さい。
【００２０】
底部壁１５と端部壁１８は、特定すれば、台形状のエッジ領域つまり斜めのエッジ部４２と横断方向エッジ部４３によって、ヒンジ蓋付きパックの外形に一致する。完成時のパックにおいては、斜めのエッジ部４２は、ボックスのレッグ２８、２９または蓋のレッグ３０、３１と接する。横断方向エッジ部４３は、いずれも、内側のボックスの側部タブ２５(底部壁１５)または内側の蓋の側部タブ２７(端部壁１８)と接する。図７の具体例においては、円形部４４が、斜めのエッジ部４２と、角度部３７の湾曲部に対応する横断方向エッジ部４３の間に形成される。
【００２１】
図３、図４、図１０、または、図９の右図の模範具体例における湾曲部すなわち円形角度部３７、３８は、ブランクの湾曲ストリップ４５によって規定される。この湾曲ストリップ４５は、通常、スタンピングによって包装材料(薄いカードボード)面に刻印された多数の平行な縦筋を含んでいる。図９の右図の具体例において、内側の長手方向曲折線３２も湾曲ストリップ４５としての輪郭を持つ。
【００２２】
底部壁１５と端部壁１８は、ボックスの側部壁２２と蓋の側部壁２３に、特定すれば、底部コーナータブ４６および蓋のコーナータブ４７によって、それぞれ接続されている。コーナータブ４６、４７は、内側のボックスの側部タブ２５と蓋の側部タブ２７の連続部分としてそれぞれ延出している。図１、図２、および、図５による模範具体例においては、コーナータブ４６、４７は、底部壁１５の領域における外側タブのエッジ部のボックスの前部壁１４およびボックスのレッグ２８に対するマッチした積極的密接支持をもたらすように設計される。対応して、蓋のコーナータブ４７の露出するタブのエッジ部は、蓋の前部壁１９と隣接する蓋のレッグ３０(図２)と接する。このことは、パックの寸法安定性を増大する。
【００２３】
円形エッジ部を備える模範具体例(図３、図４および図７)において、コーナータブ４６、４７の幅は、それらの関連する曲折タブ２５、２７の幅に対応する。ブランクの全幅は、コーナータブ４６、４７の領域を凌駕することはない。完成時のヒンジ蓋付きパックにおいては、コーナータブ４６、４７は接着剤によって、底部壁１５と端部壁１８に接続される。
【００２４】
ここでは別体のブランクから製造されるカラー１３は、ヒンジ蓋付きパックの形状に一致する。図５の具体例-図１、図２の具体例にも当て嵌まるが-においては、カラーの前部壁４８は、カラーの曲折線４９によって区画される。両側には、横断方向に区画される材料ストリップ５０、５１がつながっており、前記材料ストリップ５０、５１は、もっと顕著なカラーの曲折線５２によって互いから区画されている。この模範具体例においては、曲折線５２は、ミシン目線を含んでおり、このミシン目線は、材料ストリップ５０、５１をそれらの角度を有する位置において互いに正確に曲折することを可能にする。１つの特徴は、カラーの曲折線４９によって区画される外側の材料ストリップ５１を限るカラーのレッグ５３である。材料ストリップ５０は、完成時のパックにおいては、ボックスの後部レッグ２９と蓋のレッグ３１(図５)に接する。このカラーのレッグ５３は、大きな安定性を保証する。更に、このカラーのレッグ５３は、パック内で内側に向かって曲折することによって、一旦開かれた蓋１２を閉じるために便利である。
【００２５】
図８の具体例-図３、４にも当て嵌まるが-においては、図６の中間のカラー曲折線５２が、湾曲ストリップ５４によって置換されており、この湾曲ストリップ５４は、円形の角度部３７の領域において、カラーを図３、図４のパックの形状に一致させることを確実にする(図１０)。
【図面の簡単な説明】
【００２６】
【図１】閉じた位置におけるヒンジ蓋付きパックの斜視図。
【図２】開いた蓋を備える図１のパック。
【００２７】
【図３】図１に示すパックの１変形具体例にかかるヒンジ蓋付きパックの斜視図。
【図４】開いた蓋を備える図３のヒンジ蓋付きパック。
【図５】図１、図２のヒンジ蓋付きパック用の展開ブランク。
【図６】カラー用のブランク。
【図７】図３、図４のパック用の展開ブランク。
【図８】カラー用のブランク。
【図９】シガレットを充填した図１のIX-IX面に沿うヒンジ蓋付きパックの水平断面図(左図)および別の模範具体例(右図)。
【図１０】図３のX-X断面に沿うヒンジ蓋付きパックの水平断面図。
【符号の説明】
【００２８】
１０…シガレット，１１…ボックス部，１２…蓋，１３…カラー，１４…ボックスの前部壁，１５…底部壁，１６…ボックスの後部壁，１７…蓋の後部壁，１８…端部壁，１９…蓋の前部壁，２０…ヒンジ線，２１…蓋の内側タブ，２２…ボックスの側部壁，２３…蓋の側部壁，２４…ボックスの側部壁，２５…ボックスの側部タブ，２６…蓋の側部タブ，２７…蓋の側部タブ，２８…ボックスのレッグ，２９…ボックスのレッグ，３０…蓋のレッグ，３１…蓋のレッグ，３２…長手方向曲折線，３３…横断方向曲折線，３４…シガレットグループ，３５…横断方向列，３６…横断方向列，３７…角度部，３８…角度部，３９…角度，４０…角度，４１…内側ライナー，４２…斜め方向のエッジ部，４３…横断方向のエッジ部，４４…円形部，４５…湾曲ストリップ，４６…底部コーナータブ，４７…蓋のコーナータブ，４８…カラーの前部壁，４９…カラーの曲折線，５０…材料ストリップ，５１…材料ストリップ，５２…カラーの曲折線，５３…カラーのレッグ，５４…湾曲ストリップ，
【図１】
2006521245.tif 000003
【図２】
2006521245.tif 000004
【図３】
2006521245.tif 000005
【図４】
2006521245.tif 000006
【図５】
2006521245.tif 000007
【図６】
2006521245.tif 000008
【図７】
2006521245.tif 000009
【図８】
2006521245.tif 000010
【図９】
2006521245.tif 000011
【図１０】
2006521245.tif 000012
【国際調査報告】
2006521245.tif 000013
2006521245.tif 000014
2006521245.tif 000015
2006521245.tif 000016